(57)【特許請求の範囲】
【請求項１】
ディスクに記録されている複数のメニュー画面から表示部に表示される所定のメニュー画面の各メニューの表示位置に応じた位置情報を、上記所定のメニュー画面を上記表示部に表示する前に、予めそれぞれ検出するステップと、上記表示部に表示された上記所定のメニュー画面中であって上記表示部に配設されたタッチパネルに直接タッチされた上記メニューに応じた位置情報を検出するステップと、その後、両位置情報のデータを比較するステップと、を有し、この比較により上記所定のメニュー画面から何れのメニューが選択されたかを判断して対応したメニューを実行させてなることを特徴とするディスクプレーヤの操作方法。
【請求項２】
前記ディスクを再生することにより出力される全ての前記メニュー画面のデータを識別可能とし、このメニュー画面のデータの識別は、各メニュー画面のデータにフレーム単位またはフィールド単位で、データの先頭とデータの種類を判別する識別コードをそれぞれ付加することにより行うことを特徴とする請求項１記載のディスクプレーヤの操作方法。
【請求項３】
前記各メニューの表示位置に応じた位置情報は、何らかのメニューが選択されている選択メニュー画面のデータから何もメニューが選択されていない基準メニュー画面のデータを引き算することにより導かれる演算データに基づき検出されてなることを特徴とする請求項１または２記載のディスクプレーヤの操作方法。
【請求項４】
前記演算データは、このデータに、フレーム単位またはフィールド単位でデータの先頭とデータの種類を判別する種別コードを付加することによりそれぞれ識別可能としてなることを特徴とする請求項３記載のディスクプレーヤの操作方法。
【請求項５】
前記選択メニュー画面のデータは、何もメニューが選択されていない前記メニュー画面においてメニューを選択することにより選択されたメニュー箇所をハイライトさせてなる画面から得られるデータとしたことを特徴とする請求項３または４記載のディスクプレーヤの操作方法。
【請求項６】
ディスクを再生することにより出力される全てのメニュー画面のデータをデコードするデコーダと、デコードされた上記メニュー画面のデータを記憶するメモリー部と、このメモリー部から出力された上記メニュー画面のデータを利用して何らかのメニューが選択されている選択メニュー画面のデータと何もメニューが選択されていない基準メニュー画面のデータとを得、前者から後者を引き算する演算部と、この演算部で演算された各演算データに対応するメニューのメニュー画面中の位置情報をそれぞれ検出してなる位置検出部と、全てのメニューの位置情報が検出された後に上記基準メニュー画面のデータをエンコードして表示部に表示するエンコーダと、デコードされたデータの出力先をメモリー部側とエンコーダ側とに振り分けてなる切替部と、上記エンコーダからのデータを表示するタッチパネルが配設された上記表示部と、この表示部のタッチパネルをタッチすることにより選択されたメニューの位置情報を検出してなるタッチ検出部と、上記位置検出部で検出された位置情報のデータとタッチ検出部で検出された位置情報のデータとを夫々座標情報に変換してなるタッチ座標部と、このタッチ座標部で生成された両座標情報を比較することにより上記メニュー画面から何れのメニューが選択されたかを判断して対応したメニューを実行させてなる制御部とを有することを特徴とするディスクプレーヤ。
【請求項７】
前記デコーダによってデコードされた前記メニュー画面のデータの識別を行う識別コードを付加する識別コード付加部を、前記デコーダと前記切替部の間に設け、上記識別コードが付加されたデータを検出するとともに判別したデータを前記制御部と前記メモリー部とに送る識別コード検出部を前記切替部と前記メモリー部との間に設けてなることを特徴とする請求項６記載のディスクプレーヤ。
【請求項８】
前記切替部は、デコードされたデータに付加された前記識別コードに基づき、データの出力先を振り分けるものであることを特徴とする請求項７記載のディスクプレーヤ。
【請求項９】
前記演算部と前記位置検出部との間に、前記演算データの種類がわかる種別コードを付加する種別コード付加部を設けてなることを特徴とする請求項６、７または８の何れか１項記載のディスクプレーヤ。
【請求項１０】
前記メニュー画面は、あるメニューが選択されると、その選択されたメニュー箇所がハイライトする機能を有してなることを特徴とする請求項６、７、８または９の何れか１項記載のディスクプレーヤ。
【発明の詳細な説明】
【０００１】
【発明の属する技術分野】
この発明は、タッチ操作画面機能を持つディスクプレーヤの操作方法およびディスクプレーヤに関する。
【０００２】
【従来の技術】
従来から、Ｇ.Ｕ.Ｉ（Graphical User Interface）機能を有するＤＶＤ（Digital Versatile Disc）プレーヤやＣＤ（Compact Disc）プレーヤ等が知られている。このＧ.Ｕ.Ｉ機能は、プレーヤやディスクの情報をモニタ画面に詳しく表示し、モニタ画面を見ながらリモコンで操作や設定が行なえるもので、ユーザにとって操作しやすいものとなるものである。このため、多くのディスクプレーヤで採用されている。
【０００３】
また、ＣＤやＤＶＤを使用したカーナビゲーション機器の一部には、地図が表示される画面の一部に「△」や「▽」を表示させ、「△」をタッチすると、地図が拡大または縮小し、「▽」をタッチすると、地図が縮小または拡大するような機能を採用しているものも現れている。
【０００４】
上述した従来のディスクプレーヤで採用されているＧ.Ｕ.Ｉ機能は、操作はしやすいが、リモコンが必要となるため、リモコンを常にディスクプレーヤの近傍に置いておく配慮が必要となる。しかしながらリモコンは、気軽に持ち運びできるため、置き忘れが生じやすく、Ｇ.Ｕ.Ｉ機能を使用したいというときに探し出せないことが多い。
【０００５】
また、タッチパネル画面を有するカーナビゲーション機器の場合、タッチ操作は単に地図の拡大、縮小に使用されるのみで、他の操作はカーナビゲーション機器の本体の操作釦等を使用して行われることとなる。このため、操作は、わずかな操作釦を駆使して行うこととなり、操作しづらい問題は依然として残っている。
【０００６】
そこで、上述の問題点を解決すべく、次のような、ディスクプレーヤにおけるメニューの操作システムが開発され、使用されている。以下に、最近、使用され始めた、ＤＶＤプレーヤの表示部に表示されるメニュー画面の構成と動作を、図３および図４に基づいて説明する。
【０００７】
まず、本体機構となるドライブ１０１にＤＶＤが挿入されると、ドライブ１０１からＤＶＤのメニュー画面のデータがデコーダ１０２に送信される。その時、ＣＰＵ（Central Processing Unit）からなる制御部１０３では、ドライブ１０１とデコーダ１０２を制御してデコーダ１０２で画像データを再生し、エンコーダ１１３でその画像データを基に図４のようなＤＶＤメニュー画面となるメニュー画面映像１１０を出力させる。
【０００８】
また、制御部１０３では、エンコーダ１１３で出力したメニュー画面映像１１０の操作に対応した方向キーやＥＮＴＥＲキーからなる操作キー画面となるキー画面映像１１１を画像形成機能を有するグラフィック１０４で作成し出力する。なお、グラフィック１０４は、キー画面映像１１１における各操作キーの座標情報を記憶している。
【０００９】
メニュー画面映像１１０とキー画面映像１１１は、合成部１０５で合成されて合成映像として出力され、表示部１１６にＤＶＤメニューの操作画面１１２として表示される。
【００１０】
以上のようにして形成されたＤＶＤメニューの操作画面１１２は、タッチパネル１１７としても機能する。すなわち、合成画像１１２中の方向キーやＥＮＴＥＲキーが表示された部分を押す（タッチする）ことで、押された（タッチされた）位置をタッチ検出部１０８で検出し、そのデータをタッチ座標部１０９に送る。
【００１１】
タッチ座標部１０９では、タッチ検出部１０８で押された位置の検出データを座標情報に変換し、グラフィック１０４に送る。
【００１２】
グラフィック１０４では、タッチ座標部１０９からの座標情報とキー画面映像１１１の各操作部の座標情報を制御部１０３に送る。
【００１３】
制御部１０３では、タッチ座標部１０９からの座標情報とキー画面映像１１１中の方向キーやＥＮＴＥＲキーの座標情報を比較して、どの操作キーが押されたかを判断する。そして、制御部１０３は、ドライブ１０１とデコーダ１０２を制御して、デコーダ１０２から押された操作キーに対応した新たな画像データを出力し、エンコーダ１１３でその画像データを基にメニュー画面映像１１０に相当する新たな映像を出力する。その時、制御部１０３は、グラフィック１０４にもエンコーダ１１３で出力された映像に対応すると共にキー画面映像１１１に相当する新たな映像を出力させる。この後、タッチパネル１１７中の操作キー等へのタッチのたびに上記を繰り返す。
【００１４】
このように、最近、使用され始めた技術によれば、表示部１１６がタッチパネル１１７として機能し、各種の操作をリモコンや本体部の操作釦を使用することなく行えるものとなる。このため、Ｇ.Ｕ.Ｉ的機能をリモコンを使用することなく行え、ユーザにとっては非常に使いやすく便利なものとなっている。
【００１５】
【発明が解決しようとする課題】
しかしながら、図３および図４に示すタッチ操作画面機能を持つＤＶＤプレーヤにおいては、ＤＶＤメニューの操作を行う際には、方向キーやＥＮＴＥＲキー等の操作キーをDVDプレーヤによって別途作り出す必要がある。しかも、上述のような構成のＤＶＤメニューの操作画面１１２では、表示されたメニュー画面映像１１０に相当する部分に直接タッチしてこれを操作することは出来ないにも係わらず、ユーザは、このＤＶＤプレーヤにより作り出された方向キーやＥＮＴＥＲキーをタッチ操作によって扱うこととなるため、メニュー画面映像１１０に相当する部分にも直接タッチして操作しようとする過ちが発生しやすいものとなっている。
【００１６】
また、上述のような操作方法は、ＤＶＤプレーヤの操作に馴染みのない者や不馴れな者にとって戸惑い易い操作方法であるとともに、操作方法の過ちに気付くまでタッチ操作を何度も半ば強引にし続けることで、指を傷つけたり、表示部１１６を損傷してしまう恐れをも有している。
【００１７】
本発明は、上述のような問題点を解決するためになされたものであり、メニュー画面を直接タッチして操作可能とされるディスクプレーヤの操作方法およびディスクプレーヤを提供することを目的とする。
【００１８】
【課題を解決するための手段】
そこで、本発明では、以下のような種々の手段を講じることにより、このような課題に対処することとした。
【００１９】
すなわち、本発明のディスクプレーヤの操作方法は、ディスクに記録されている複数のメニュー画面から表示部に表示される所定のメニュー画面の各メニューの表示位置に応じた位置情報を、上記所定のメニュー画面を上記表示部に表示する前に、予めそれぞれ検出するステップと、上記表示部に表示された所定のメニュー画面中であって上記表示部に配設されたタッチパネルに直接タッチされたメニューに応じた位置情報を検出するステップと、その後、両位置情報のデータを比較するステップと、を有し、この比較により所定のメニュー画面から何れのメニューが選択されたかを判断して対応したメニューを実行させるようにしている。
【００２０】
また、他の発明は、上述の発明のディスクプレーヤの操作方法に加え、ディスクを再生することにより出力される全てのメニュー画面のデータを識別可能とし、このメニュー画面のデータの識別は、各メニュー画面のデータにフレーム単位またはフィールド単位で、データの先頭とデータの種類を判別する識別コードをそれぞれ付加することにより行うようにしている。
【００２１】
また、他の発明は、上述の各発明に加え、各メニューの表示位置に応じた位置情報は、何らかのメニューが選択されている選択メニュー画面のデータから何もメニューが選択されていない基準メニュー画面のデータを引き算することにより導かれる演算データに基づき検出されてなるようにしている。
【００２２】
さらに、他の発明は、上述の各発明に加え、演算データは、このデータに、フレーム単位またはフィールド単位でデータの先頭とデータの種類を判別する種別コードを付加することにより夫々識別可能とするようにしている。
【００２３】
また、他の発明は、上述の各発明に加え、選択メニュー画面のデータは、何もメニューが選択されていないメニュー画面においてメニューを選択することにより選択されたメニュー箇所をハイライトさせてなる画面から得られるデータとしている。
【００２４】
また、本発明のディスクプレーヤは、ディスクを再生することにより出力される全てのメニュー画面のデータをデコードするデコーダと、デコードされたメニュー画面のデータを記憶するメモリー部と、このメモリー部から出力されたメニュー画面のデータを利用して何らかのメニューが選択されている選択メニュー画面のデータと何もメニューが選択されていない基準メニュー画面のデータとを得、前者から後者を引き算する演算部と、この演算部で演算された各演算データに対応するメニューのメニュー画面中の位置情報をそれぞれ検出してなる位置検出部と、全てのメニューの位置情報が検出された後に基準メニュー画面のデータをエンコードして表示部に表示するエンコーダと、デコードされたデータの出力先をメモリー部側とエンコーダ側とに振り分けてなる切替部と、エンコーダからのデータを表示するタッチパネルが配設された表示部と、この表示部のタッチパネルをタッチすることにより選択されたメニューの位置情報を検出してなるタッチ検出部と、位置検出部で検出された位置情報のデータとタッチ検出部で検出された位置情報のデータとをそれぞれ座標情報に変換してなるタッチ座標部と、このタッチ座標部で生成された両座標情報を比較することによりメニュー画面から何れのメニューが選択されたかを判断して対応したメニューを実行させてなる制御部と、を有する。
【００２５】
また、他の発明のディスクプレーヤは、上述の発明のディスクプレーヤに加え、デコーダによってデコードされたメニュー画面のデータの識別を行う識別コードを付加する識別コード付加部を、デコーダと切替部の間に設け、識別コードが付加されたデータを検出するとともに判別したデータを制御部とメモリー部とに送る識別コード検出部を切替部とメモリー部との間に設けている。
【００２６】
また、他の発明は、上述の発明に加え、切替部は、デコードされたデータに付加された識別コードに基づき、データの出力先を振り分けるようにしている。
【００２７】
さらに、他の発明のディスクプレーヤは、上述の各発明のディスクプレーヤに加え、演算部と位置検出部との間に、演算データの種類がわかる種別コードを付加する種別コード付加部を設けている。
【００２８】
また、他の発明は、上述の各発明のディスクプレーヤに加え、メニュー画面は、あるメニューが選択されると、その選択されたメニュー箇所がハイライトする機能を有している。
【００２９】
【発明の実施の形態】
以下、本発明の実施の形態について、図１および図２に基づき説明する。図１は、本発明の実施の形態に係るＤＶＤプレーヤの構成および動作を説明するブロック図であり、図２は、図１のＤＶＤプレーヤにおけるメニュー画面中の各メニューの位置の検索方法とタッチ操作化を説明する図である。なお、この実施の形態では、ディスクプレーヤとしてＤＶＤプレーヤを採用しているが、ＣＤプレーヤ、ＭＤプレーヤ等他のディスクプレーヤとしても良い。
【００３０】
この実施の形態のＤＶＤプレーヤは、図１に示すように、挿入されたＤＶＤを読み込んで再生し、記憶されているメニュー画面データや画像データを後述する制御部（ＣＰＵ）３の制御によりデコーダ２へ出力するドライブ１と、ドライブ１に挿入されたＤＶＤを制御部３の制御により再生し、出力される全てのメニュー画面のデータをデコード（復号）するデコーダ２と、ドライブ１やデコーダ２等のディスクプレーヤ内の各部を制御するＣＰＵからなる制御部３と、後述するエンコーダ１３からのデータを表示するタッチパネル７が配設された表示部６と、表示部６のタッチパネル７をタッチすることにより選択されたメニューの位置情報を検出してなるタッチ検出部８と、後述する位置検出部１７で検出された位置情報のデータとタッチ検出部８で検出された位置情報のデータとをそれぞれ座標情報に変換し、種別コードとともに制御部３へ送ってなるタッチ座標部９を主として有する。
【００３１】
制御部３は、各部の制御に加え、タッチ座標部９からの後述する種別コードを基にドライブ１から出力されたメニュー画面を管理してメニュー画面の選択部の位置情報検出を行うとともに、タッチ座標部９で生成された両座標情報を比較することによりＤＶＤのメニュー画面から何れのメニューが選択されたかを判断し、対応したメニューを実行させる制御を行なう。
【００３２】
このＤＶＤプレーヤは、さらにデコードされたメニュー画面のデータにフレーム単位またはフィールド単位で識別を行う識別コードを付加する識別コード付加部２１と、識別コードが付加されたデータと識別コード付加部２１をスルーすることにより識別コードが付加されないスルーデータ１８とを振り分けて出力する切替部１４と、識別コードが付加されたデータの識別コードを検出し、フレーム単位またはフィールド単位のデータの先頭と種類を判定して、判別したデータを制御部３とメモリー部１５とに送ってなる識別コード検出部２２と、判別したデータを制御部３の制御によって書き込んで記憶するＲＡＭ（Random Access Memory）等の半導体記憶素子からなるメモリー部１５と、全てのメニュー画面のデータのメモリー部１５への書き込みを終えた後、メモリー部１５から出力されるメモリー出力データ１９となるメニュー画面のデータを利用して所定の演算をして演算データ２０を出力する演算部１６と、各メニュー部分の演算データ２０にフレーム単位またはフィールド単位のデータの先頭とデータの種類が分かる種別コードを付加する種別コード付加部２３と、各メニュー部分の演算データ２０からメニュー画面中の各メニューが表示される部分の位置情報をそれぞれ検出し、これを付加された種別コードとともにタッチ座標部９へ送ってなる位置検出部１７と、全てのメニューに関するメニュー画面中の位置情報が検出された後に、ドライブ１、デコーダ２によって出力される標準のメニュー画面データが識別コード付加部２１をスルーすることにより識別コードが付加されないスルーデータ１８とされ、そのスルーデータ１８をエンコード（符号化）してＤＶＤプレーヤに表示するエンコーダ１３とを有している。
【００３３】
次に、以上のように構成されるＤＶＤプレーヤの動作について説明する。まずこの実施の形態のＤＶＤプレーヤでは、メニュー画面で、ある箇所が選択されるとその選択された箇所がより明るくなるハイライトする機能を持っているものとする。すなわち、このＤＶＤプレーヤは、図２の１９−▲１▼に示すようなハイライトが付加されていない基準となるメニュー画面（以降、基準メニュー画面という。）と、図２の１９−▲２▼〜▲５▼に示すようなハイライト（図２ではハイライト部分を薄墨化して示す）が付加されたメニュー画面（以降、選択メニュー画面という。）を持っているものとする。
【００３４】
ドライブ１にＤＶＤを挿入すると、制御部３では、ドライブ１からＤＶＤの全てのメニュー画面のデータをフレーム単位またはフィールド単位で検索して出力させる制御と、ドライブ１からのデータをデコーダ２でフレーム単位またはフィールド単位でデコードして出力させる制御を行う。デコーダ２からのデータは、識別コード付加部２１でフレーム単位またはフィールド単位に識別コードが付加される。なお、全てのメニュー画面のデータの中には、上述のように、基準メニュー画面のデータと、選択メニュー画面のデータの二種類のデータが含まれる。
【００３５】
この識別コードは、フレーム単位またはフィールド単位のデータの先頭とデータの種類を判別するために使われる。識別コードが付加されたデータは、切替部１４で識別コード検出部２２へ出力される。また、切替部１４では、位置情報検索中の間、表示部６に固定映像を表示させるための固定データをエンコーダ１３へ出力させる。識別コード検出部２２では、識別コードを検出し、フレーム単位またはフィールド単位のデータの先頭と種類を判定し、制御部３とメモリー部１５にフレーム単位またはフィールド単位のデータの先頭と種類の判定データを送る。
【００３６】
フレーム単位またはフィールド単位のデータの先頭と種類の判定データを受けた制御部３は、順次、メモリー部１５にメニュー画面のデータを書き込んでいく。ＤＶＤの全てのメニュー画面のデータをメモリー部１５に書き込み終えると、制御部３では、メモリー部１５からメモリー出力データ１９となる基準メニュー画面１９−▲１▼のデータと選択メニュー画面１９−▲２▼のデータを出力させ、演算部１６で選択メニュー画面１９−▲２▼のデータから基準メニュー画面１９−▲１▼のデータを引き算させる。そうするとハイライト表示だけが残ったハイライト画面２０−▲６▼のデータ（演算データ２０）だけが残る。この演算データ２０に種別コード付加部２３でフレーム単位またはフィールド単位のデータの先頭とデータの種類がわかる種別コードを付加して位置検出部１７に送る。
【００３７】
残りの選択メニュー画面１９−▲３▼〜▲５▼のデータについても、上記と同様に、それぞれから基準メニュー画面１９−▲１▼のデータを引き算させ、演算データ２０を得、この演算データ２０、すなわち、ハイライト画面２０−▲７▼〜▲９▼のデータに種別コード付加部２３でフレーム単位またはフィールド単位のデータの先頭とデータの種類がわかる種別コードを付加して位置検出部１７に送る。
【００３８】
位置検出部１７では、ハイライト画面２０−▲６▼〜▲９▼のデータから、それぞれのハイライトの位置、すなわち、各メニューの表示位置を検出し、種別コードと共にタッチ座標部９に送る。タッチ座標部９では、位置検出部１７で位置検出されたデータを座標情報に変換し種別コードと共に制御部３に送る。制御部３では、タッチ座標部９からの種別コードを基にドライブ１から出力されたメニュー画面を管理し、全てのメニュー画面が戻ってきたことを確認してメニュー画面の選択部となる各メニューの表示位置の位置情報検出を終了する。
【００３９】
その後、ＤＶＤプレーヤの制御部３は、ドライブ１から標準となる基準メニュー画面を出力させ、デコーダ２にドライブ１からのデータをデコードさせる。制御部３は、そのデータを識別コード付加部２１をスルーするように制御し、切替部１４ではエンコーダ１３側にスルーデータ１８として出力させる。エンコーダ１３では、切替部１４からのスルーデータ１８をエンコードし、そのデータを基にメニュー画面の映像を出力する。
【００４０】
そして、表示部６では、図２の１９−▲１▼に示すようなメニュー画面の映像を表示させる。この実施の形態では、それぞれ「プレイ」、「チャプタ」、「特典」、「おまけ」と表示される選択部が存在している。メニュー画面の選択部を利用して操作するためにタッチパネル７の選択部に対応する部分を押すと、タッチ検出部８で押された位置を検出し、そのデータをタッチ座標部９に送る。タッチ座標部９では、タッチ検出部８で検出された位置検出のデータを座標情報に変換し制御部３に送る。
【００４１】
制御部３は、タッチ検出部８からの座標情報とメニュー画面から検出した座標情報とを比較してメニュー画面のどの選択部が押されたかを判断し、ドライブ１とデコーダ２を制御して、デコーダ２からメニュー画面の押された選択部に対応した画像データを出力させる。制御部３は、さらに、そのデータを識別コード付加部２１をスルーさせ、切替部１４ではエンコーダ１３側に出力させる。エンコーダ１３では、切替部１４からの画像データをエンコードし、エンコードされた画像データを基に映像を表示部６に出力する。この映像は、図２の１９−▲１▼に示すような基準メニュー画面で、その表示内容が異なるものである。
【００４２】
以降は、上述の選択部のタッチ動作から、他の基準メニュー画面の出力までの動作を繰り返す。選択部への１回のタッチ動作でＤＶＤプレーヤの所定の動作が実行される場合もあるが、数回のタッチ動作によって所定の動作が始まる場合も存在する。
【００４３】
これにより、ドライブ１から出力されるメニュー画面のデータの他に、ＤＶＤプレーヤで操作メニューを作り出す必要がないとともに、メニュー画面のデータと作り出された操作メニューとを合成する必要もない。
【００４４】
ここで、各メニューが表示される場所の位置情報の検出手段としては、どのような様式のメニュー画面のデータが表示されても、各メニューに応じた個々のデータが確実に検出されれば特に限定されない。したがって、上述のように、何らかのメニューが選択されている選択メニュー画面のデータから何もメニューが選択されていない基準メニュー画面のデータを引き算することにより演算部１６で導かれる演算データに基づき、位置検出部１７で各メニューに応じた位置情報の検出がされるようにするのが好ましいが他の方法を採用しても良い。
【００４５】
上述の実施の形態で示す方法を採用した場合、ＤＶＤを再生することにより出力される全てのメニュー画面データを識別可能とされており、何もメニューが選択されていない基準メニュー画面のデータと、何らかのメニューが選択されている選択メニュー画面のデータとは、その識別方式によって同一基準で識別可能とされることとなり、どのような方式のメニュー画面のデータでも演算が可能となって、各メニューの位置データが確実に検出されることとなる。
【００４６】
また、上述の実施の形態では、メニュー画面のデータや演算データにフレーム単位またはフィールド単位でデータの先頭とデータの種類を判別する識別コードをそれぞれ付加しているので、メニュー画面のデータや演算データは、フレーム単位またはフィールド単位で検索、出力され、データ選択のための単なるデータの識別だけでなく、演算を誤りなく行うためや位置検出のためのデータの識別が確実に行われることとなる。
【００４７】
また、上述の実施の形態では、デコードされたメニュー画面のデータの識別を行う識別コードを付加する識別コード付加部２１をデコーダ２と切替部１４との間に設け、識別コードが付加されたデータを検出するとともに判別したデータを制御部３とメモリー部１５とに送る識別コード検出部２２を切替部１４とメモリー部１５との間に設けているので、識別コードが付加されたものは切替部１４によって識別コード検出部２２に送られ検出され、識別コードが付加されないものは切替部１４によってエンコーダ１３へ送られるようにすることができる。このような動作を簡単な構成で達成することができる。
【００４８】
また、切替部１４の前方において識別コードを付加することにより、識別コードが付加されたデータは、該識別コードに基づき、切替部１４において出力先をメモリー部１５側またはエンコーダ１３側へと振り分けを行うことができる。この振り分ける構成を採用することで、ＤＶＤプレーヤの構成を単純化することができる。
【００４９】
また、上述の実施の形態においては、ＤＶＤプレーヤのメニュー画面において選択部のある箇所が選択されると、その選択されたメニュー箇所がハイライトする機能を有しているため、どの選択部をタッチ（押す）したかをユーザは容易に把握できる。
【００５０】
上述の実施の形態では、各メニュー画面からタッチ操作に必要な位置情報を検出する際、その検出中にあっては、表示部６に標準のメニュー画面であってタッチ操作ができない固定映像を表示させるようにしているので、ユーザはこれから操作しようとするメニューの選択等をその画面によって検討することができる。なお、検出中に表示される固定映像中に「タッチ操作はしばらくお待ちください。」等のタッチ操作禁止表示を行うのが好ましい。
【００５１】
さらに、上述の実施の形態では、全てのメニュー画面のデータにフレーム単位またはフィールド単位で識別コードを付加することでメニュー画面のデータの始まりと終わりを管理するようにしているので、選択メニュー画面のデータと基準メニュー画面のデータとの差を正確に把握することが可能となる。
【００５２】
上述の実施の形態は、本発明の好適な実施の形態の例であるが、本発明の要旨を逸脱しない範囲で種々変更実施可能である。たとえば、タッチされたメニュー部分をハイライトさせるのではなく、文字と背景の色を反転させたり、点滅させたり等他の方法を採用しても良い。
【００５３】
また、上述の実施の形態では、ハイライトした部分の位置情報に基づき、タッチ座標部９で座標情報に変換しているが、位置情報自体に座標情報を含ませることでタッチ座標部９を設けないようにしても良い。
【００５４】
また、上述の実施の形態では、制御部３の他に、デコーダ２、識別コード付加部２１、切替部１４、エンコーダ１３、識別コード検出部２２、演算部１６、種別コード付加部２３、位置検出部１７、タッチ座標部９を設けているが、これら各部の機能を制御部３が行うようにしても良い。また、制御部３がそれらの各部の機能を行うようにした場合、所定のプログラムを作製し、そのプログラムによって上述の各部の動作を行わせるようにしても良い。
【００５５】
また、上述の実施の形態では、ＤＶＤを入れると最初にまず全てのメニュー画面のデータを識別コードを付加してメモリー部１５に保存させるようにしているが、まず最初に表示される標準の基準メニュー画面のデータと、その基準メニュー画面中の選択部がハイライトされた選択メニュー画面のデータをメモリー部１５に保存するようにし、その後、選択が行われる度に他の基準メニュー画面のデータとそれに関する選択メニュー画面のデータを順次保存していくようにしても良い。
【００５６】
【発明の効果】
以上のように、本発明のディスクプレーヤの操作方法およびディスクプレーヤによれば、タッチ操作画面機能を持つディスクプレーヤにおいて、ディスクに記録されている複数のメニュー画面のデータを利用することで、表示されたメニュー画面に直接タッチしてこれを操作することが出来るようになるので、タッチ操作用の画面とメニュー画面とを間違える過ちを無くすことが出来る。
【００５７】
また、ディスクプレーヤの操作に馴染みのない者や不馴れな者にとっての戸惑いも解消され、操作方法の過ちに気付くまでタッチ操作を何度も半ば強引にし続けることによる指や表示部の損傷の恐れをも無くすことが出来る。
【図面の簡単な説明】
【図１】本発明の実施の形態に係るＤＶＤプレーヤの構成および動作を説明するブロック図である。
【図２】図１に示すＤＶＤプレーヤにおける、メニュー画面中での各メニューの位置の検索方法とタッチ操作化を説明する図である。
【図３】従来のＤＶＤプレーヤの構成および動作を説明するブロック図である。
【図４】従来のＤＶＤプレーヤのメニュー画面の構成を説明する図である。
【符号の説明】
１  ドライブ
２  デコーダ
３  制御部（ＣＰＵ）
６  表示部
７  タッチパネル
８  タッチ検出部
９  タッチ座標部
１３  エンコーダ
１４  切替部
１５  メモリー部
１６  演算部
１７  位置検出部
１８  スルーデータ
１９  メモリー出力データ
２０  演算データ
２１  識別コード付加部
２２  識別コード検出部
２３  種別コード付加部
【図１】
0003870051.tif 000002
【図２】
0003870051.tif 000003
【図３】
0003870051.tif 000004
【図４】
0003870051.tif 000005